(57)【要約】  ビデオドアビューアは、ドアの外側付近に取り付けられるカメラ用ハウジングと、ドアの内側付近に取り付けられる表示装置用ハウジングとを備える。カメラ用ハウジングは、カメラ用ハウジング内のピンホールを有するレンズピースを通して受け取る光から画像を生成するためのデジタル撮像装置を備えており、その画像は表示装置用ハウジング内の表示装置上に表示される。電力制御部は、デジタル撮像装置への電力および表示生成回路および表示装置への電力を制御するために、表示装置用ハウジングに組み込まれる。１つまたはそれ以上のバッテリーなどの電源装置も、表示装置用ハウジング内に配置される。
2009522940.tif 000002
【特許請求の範囲】
【請求項１】
ドアに取り付けられるように適合したカメラ用ハウジングであって、デジタルカメラおよびレンズピースが前記カメラ用ハウジング内にあり、前記レンズピースは前記ドアの外部から前記デジタルカメラへの光路を提供する、カメラ用ハウジングと、
表示装置用ハウジングであって、前記カメラ用ハウジングとは離間されて接続されていない表示装置用ハウジングであって、前記ドアの内側に取り付けられて、表示装置、電源装置、および画像を生成し表示するための回路を保持するように構成されたシャーシを有する、表示装置用ハウジングと、
を備えた、ビデオドアビューア。
【請求項２】
前記カメラ用ハウジングは、略円筒状の外形と、前記カメラ用ハウジング内にデジタルカメラを収容し取り付けるための内部取り付け構造と、を有しており、前記内部取り付け構造は、前記レンズピースから正確な距離に前記デジタルカメラの回路基板を配置するための少なくとも１つの焦点絞りを備えている、請求項１に記載のビデオドアビューア。
【請求項３】
前記カメラ用ハウジングは、前記ドアの外側表面に対して配置されるように平面的な表面を有する、請求項１に記載のビデオドアビューア。
【請求項４】
前記レンズピースは、前記ドアの外側表面よりも外側で前記カメラ用ハウジングによって保持されている、請求項１に記載のビデオドアビューア。
【請求項５】
前記レンズピースは、前記ドアの開口部の実質的に内部で前記カメラ用ハウジングによって保持されている、請求項１に記載のビデオドアビューア。
【請求項６】
前記レンズピースは、ピンホールを備えており、協同するネジ山によって前記カメラ用ハウジングと係合する、請求項１に記載のビデオドアビューア。
【請求項７】
前記デジタルカメラは、ＣＣＤを含む、請求項１に記載のビデオドアビューア。
【請求項８】
前記デジタルカメラは、ＣＭＯＳ装置を含む、請求項１に記載のビデオドアビューア。
【請求項９】
前記デジタルカメラは、前記カメラ用ハウジングの内部空洞において焦点絞りと接触することによって前記レンズピースと位置合わせされる回路基板をさらに備えている、請求項１に記載のビデオドアビューア。
【請求項１０】
前記カメラ用ハウジングは、前記ドアの開口部の内側に嵌められる部分と、前記ドアの開口部の外側でドアの外側表面を実質的に覆って取り付けられる取り付け用鍔部と、を有するベゼルを備えている、請求項１に記載のビデオドアビューア。
【請求項１１】
前記レンズピースおよび前記デジタルカメラは、前記ドアの開口部の実質的に内部に配置される、請求項１に記載のビデオドアビューア。
【請求項１２】
前記カメラ用ハウジングは、前記ドアの外側に接着によって取り付けられ、前記ドアの開口部内には伸びていない、請求項１に記載のビデオドアビューア。
【請求項１３】
前記カメラ用ハウジングは、略円筒状の外形を有し、前記デジタルカメラを収容して取り付けるための矩形内部構造を有する、請求項１に記載のビデオドアビューア。
【請求項１４】
前記レンズピースは、前記デジタルカメラへ光を入り込ませるためのピンホールを有する、請求項１に記載のビデオドアビューア。
【請求項１５】
前記ベゼルまたはレンズピースは、前記ベゼルに対する前記レンズピースの相対位置を測るためのマーカーを有する、請求項１に記載のビデオドアビューア。
【請求項１６】
前記カメラ用ハウジングは、一部分が前記ドアの内部に配置され、一部分が前記ドアの外側に配置される、請求項１に記載のビデオドアビューア。
【請求項１７】
カメラ用ハウジングと、
前記カメラ用ハウジング内のレンズピースおよびデジタルカメラであって、前記カメラ用ハウジングはドアの外側表面近くに取り付けられるように適合したレンズピースおよびデジタルカメラと、
前記カメラ用ハウジングとは離間されており接続されていない表示用ハウジングと、
前記表示装置用ハウジング内の表示装置、電源装置および画像生成回路であって、前記画像生成回路は前記デジタルカメラと接続されており、前記表示装置用ハウジングは前記ドアの内側表面近くに取り付けられるように適合した表示装置、電源装置および画像生成回路と、
前記デジタルカメラによって得られた画像を前記表示装置上に表示するために、前記画像生成回路への電力を制御するための電力制御部と、
を備える、ビデオドアビューア。
【請求項１８】
前記カメラ用ハウジングは、前記ドアの外側に配置される、請求項１７に記載のビデオドアビューア。
【請求項１９】
前記カメラ用ハウジングの第１の部分は前記ドア内に配置され、前記カメラ用ハウジングの第２の部分は前記ドアの外側に配置される、請求項１７に記載のビデオドアビューア。
【請求項２０】
前記デジタルカメラへ光を向かわせるために、前記カメラ用ハウジング内に配置された前記レンズピース内の光学構成部品をさらに備えた、請求項１７に記載のビデオドアビューア。
【請求項２１】
前記レンズピースは、前記デジタルカメラへ光を入り込ませるためのピンホールを備えている、請求項１７に記載のビデオドアビューア。
【請求項２２】
前記レンズピースは、前記デジタルカメラへ光を入り込ませるためのピンホールおよびレンズを備えている、請求項１７に記載のビデオドアビューア。
【請求項２３】
前記レンズピースは、前記デジタルカメラへ光を入り込ませるためのピンホールおよび光学素子を備えている、請求項１７に記載のビデオドアビューア。
【請求項２４】
ドアと組み合わされるビデオドアビューアであって、前記カメラ用ハウジングは、一部分が前記ドアの内部に配置され、一部分が前記ドアの外側に配置される、請求項１７に記載のビデオドアビューア。
【請求項２５】
ドアと組み合わされるビデオドアビューアであって、前記カメラ用ハウジングは、前記ドアの外側表面に接着によって固定される、請求項１７に記載のビデオドアビューア。
【請求項２６】
ドアの外側に取り付けられるカメラ用ハウジングであって、前記カメラ用ハウジングは、レンズピースとデジタルカメラとを備えており、前記レンズピースは前記カメラ用ハウジングの内ネジ山に係合する外ネジ山と、光を前記カメラ用ハウジング内を通って前記デジタルカメラまで入り込ませるピンホールとを有している、カメラ用ハウジングと、
前記ドアの内側に取り付けられ、前記カメラ用ハウジングとは離間されており接続されていない表示装置用ハウジングであって、前記表示装置用ハウジングは表示装置、電源装置、および画像生成回路を保持するシャーシを備えており、前記表示装置用ハウジングは前記デジタルカメラへの電力を制御するための電力制御ボタンをさらに備えている、表示装置用ハウジングと、
を備える、ビデオドアビューア。
【請求項２７】
前記レンズピース内のピンホールは、およそ０．１ｍｍから２ｍｍの範囲の直径を有する輪状開口部である、請求項２６に記載のビデオドアビューア。
【請求項２８】
前記レンズピースは、前記カメラ用ハウジングから突き出ている、請求項２６に記載のビデオドアビューア。
【請求項２９】
前記カメラ用ハウジングは、前記カメラ用ハウジング内の前記レンズピースの位置をマーキングするための基準マークをさらに備えている、請求項２６に記載のビデオドアビューア。
【請求項３０】
前記カメラ用ハウジングは、その一部分のみが前記ドアの断面を通って伸びており、前記表示装置用ハウジングとは接続されていない円筒状本体と、前記カメラ用ハウジングの円筒状本体が嵌め込まれる前記ドアの開口部付近の前記ドアの外側表面を覆うように伸びる鍔部と、を備えている、請求項２６に記載のビデオドアビューア。
【発明の詳細な説明】
【技術分野】
【０００１】
本発明は、防犯用撮像装置、ならびに建物および資産の防犯用電子機器の一般的分野に関する。
【背景技術】
【０００２】
本願は、２００６年１月５日に提出された米国仮特許出願第６０／７５６，５１２号の継続出願である。
【０００３】
従来のドアビューアは、目の高さでドアの断面を通して伸びる円筒状ハウジング内の固定されたガラス光学素子を用いている。貫通孔およびレンズは直径が小さいので、ドアの向こう側（外側）の景色の、非常に限定され、かつ歪んだ「魚眼」的な眺めをユーザに提供する。これらのタイプの固定された光学式ドアビューアは、見る人が覗き孔の直近まで目を寄せる必要がある単純なレンズ系を使用しており、さらに、提供される外部の眺めは限定され概して質が悪い。覗いた際の画像の質も、ドアの外側周辺の明暗に大きく左右され、画像の質を制御する手立てはない。
【発明の開示】
【課題を解決するための手段】
【０００４】
本発明は、液晶型表示装置、および、ＣＣＤまたはＣＭＯＳ型カメラなどの小型電子デジタルカメラ、ならびに、ピンホールレンズを有するレンズピースを備えた一体型オンデマンドドアビューア防犯システム（本明細書中では、代替的に「ビデオドアビューア」または「ドアビューア」または「デジタルドアビューア」とも称する）を提供する。このビデオドアビューアは、ドアの内側にある押ボタン制御によってドアの向こう側である外側の景色の即時スクリーン表示を提供する。ドアビューアは、ユーザが適度な距離をもって景色を見ることを可能にし、ドアまたは他の構造に取り付けられたデジタルチップカメラからの、高品質で鮮明な画像を表示する。本発明はさらに、ビデオドアビューアの生産性、操作、設置、およびメンテナンスの効率を最大限に高めるシステムおよびデザインを包含する。
【０００５】
ビデオドアビューアは、ドア製造者によって最初から設置されるか、または、すでに据付けされたドアへ後から設置するために設計され、あるいは、住居または商業用の入口および出口ドアに以前から設置されている従来の固定された光学的「覘き孔」または他の監視用筒型装置との交換用として設計されている。ビデオドアビューアは、２つの主要構成部品、すなわちドアまたは他の構造の外側に取り付けられるカメラ用ハウジングと、ドアまたは他の構造の内側に取り付けられる表示装置用ハウジングと、を備えている。カメラ用ハウジングと表示装置用ハウジングとの間には機械的接続はない。一実施例において、液晶表示装置は、内側のドア表面に取り付けられ、好ましくは所望の高さのドアの内側表面に直接取り付けられた表示装置用ハウジング内で、表示装置として用いられる。液晶表示装置は、制御回路、電源装置、電力および映像信号用配線装備、電源オン／オフスイッチと備えたパネルまたはシャーシに取り付けられる。カメラ用ハウジング内には、デジタルカメラおよび関連する構成部品が配される。一つの代表的実施例において、デジタルカメラは、ＣＣＤまたはＣＭＯＳ型チップカメラであり、付属の制御回路、ピンホールレンズ、カメラ用ハウジング、およびドア貫通孔に取り付けられる電力および映像信号用配線装備を備える。ピンホールレンズは、ドアの外側表面まで伸びているか、外側表面に配置されるか、または、外側表面近くにある。ビデオドアビューアは、全体として、一体型内蔵型であり、独立型として機能し、配線を介する外部電力との接続または外部モニターや表示装置との接続も必要ではない。ビデオドアビューアは、あらゆる新しい構造に設置されるか、あるいは、ホテル、アパート、コンドミニウム、またはいずれかの住居または商業的居住施設に既存するドアに対して、後から取り付け設置されるように設計されている。ビデオドアビューアは、既存の監視用筒型孔を用いることができ、または、ドアを貫通する小さな穴をドリルで開けることによって設置することができる。ビデオドアビューアは、標準的な覗き孔監視用筒の間近に目を置く必要性をなくし、外の光景の広角な眺めのさらに高品質な画像／表示を提供する。
【発明を実施するための最良の形態】
【０００６】
図１では、ドアＤに設置されたビデオドアビューアが示され、全体として参照符号１で示されている。ビデオドアビューアは、２つの主要構成部品、すなわち、表示装置用ハウジング１０およびカメラ用ハウジング２０を有する。表示装置用ハウジング１０はドアＤの内側Ｄiに取り付けられ、カメラ用ハウジング２０はドアＤの外側Ｄeへ、または外側Ｄeに取り付けられる。貫通孔Ｄtは、後述するように、カメラ用ハウジング２０と表示装置用ハウジング１０との間の電気的接続の通路のためにドアＤの断面内に形成される。カメラ用ハウジング２０は、表示装置用装置１０とは離間されており、接続もされない。その逆もまた同様である。貫通孔Ｄtは、カメラ用ハウジング２０と表示装置用ハウジング１０との間の有線接続の通路のみを目的とするので、無線デジタルカメラを用いた無線バージョンのビデオドアビューアにおいては全く必要ないものである。カメラ用ハウジング２０と表示装置用ハウジング１０との間には何の機械的接続もない。カメラ用ハウジングと表示装置用ハウジング１０との間の電気的有線接続は機械的接続ではない。
【０００７】
図４にさらに示すように、カメラ用ハウジング２０は、レンズピース２０３を内側に収容するための内ネジ山２０２を有するベゼル２０１から構成される。ベゼル２０１の内部空洞２０１１は、ＣＣＤまたはＣＭＯＳ型撮像装置またはセンサなどの、全体として２０４で示されるデジタルカメラを収容し、保持するように構成されている。一実施例において、矩形である回路基板２０４１を有するデジタルカメラ２０４を収容して保持するために、内部空洞２０１１の概略形状は矩形である。他の実施例において、内部空洞２０１１は、デジタルカメラ２０４の円形回路基板２０４１を収容して保持するために略円筒状の形状を有する。ベゼル２０１の内部空洞２０１１はさらに、デジタルカメラ２０４の回路基板２０４１が当接して配置される１つまたはそれ以上の焦点絞り２０１２を有する。１つまたは複数の焦点絞り２０１２は、最適な焦点合わせおよび画像生成のためにレンズピース２０３からの正確な距離を保つようにデジタルカメラ２０４を配置する大きさとされている。１つまたは複数の焦点絞り２０１２に対してデジタルカメラ２０４が正確に配置されているので、最適な撮像のために必要なのは、ベゼル２０１内部のレンズピース２０３のわずかな微調整のみである。これによって、カメラ用ハウジング２０４の出荷時設定または製造時設定が、設置直後のビデオドアビューアの最適な性能に対して完全または完全に近いものとすることができる。
【０００８】
カメラ２０４のサブコンポーネントには、プリント回路基板２０４１と、回路基板２０４１の受光側とは反対側に取り付けられ得る２０４２などの付属電装品と、が含まれる。カメラ２０４としては、例えばＶｉｄｅｏｌｏｇｙ  Ｉｍａｇｉｎｇ  Ｓｏｌｕｔｉｏｎｓ，  Ｉｎｃ．およびＭｉｓｕｍｉ  Ｅｌｅｃｔｒｏｎｉｃｓ  Ｃｏｒｐ．から入手可能なカメラなど、あらゆる適切なデジタル撮像装置を用いることができる。ベゼル２０１の内部空洞は、好ましくは、デジタルカメラ２０４に接続される矩形（四角形）の回路基板を収容して取り付けるために略矩形の形状である。寸法は限定されないが、例えば、およそ１５ｍｍｘ１５ｍｍまたはそれ以下の寸法を有するプリント回路基板上にあるカメラ２０４などの一体型デジタル撮像装置の比較的小型のサイズによって、カメラ用ハウジング２０およびベゼル２０１は、同様に小さいサイズとすることができ、あらゆるドアへの小型で目立たない設置のために、例えば、直径または幅がおよそ２０ｍｍ〜３０ｍｍ以下の範囲にあるサイズとすることができる。
【０００９】
レンズピース２０３は、複数の光学特性を有する集光または配光素子であり、光学材料または他の半透明な材料からなる１つまたはそれ以上の光学部品を有することができる。レンズピース２０３は、光をカメラ２０４に向かわせるために、光学レンズあるいは他の集光または配光素子に隣接してピンホール２０５を有している。設置によっては、レンズピース２０３のピンホール２０５は、カメラ２０４上に光を配光および／集光するために、カメラ用ハウジング２０内部の集光または配光構造として単独で機能することができ、あるいは、光学レンズまたは光学装置などの１つまたはそれ以上の光学部品と組み合わせることができる。通常はおよそ０．１ｍｍから５．０ｍｍの範囲のサイズである比較的小さな開口とみなされるピンホール２０５の使用は、本願に対して重要な光学的および構造的な利点を提供する。重要な利点とは、従来の覘き孔タイプの光学素子よりも広い視角、感知される画像のゆがみがより小さいこと、プラスチックスおよび金属を含むいずれかの適当な材料からの精密な製造性、集光面調整などの集光の容易さ、および周囲の状況および汚損などの外力に対抗する優れた特性である。ここで用いられるように、「ピンホール」という用語は、直径が１０ｍｍよりも小さく、好ましくは直径が５ｍｍよりも小さく、さらに好ましくは直径が２ｍｍよりも小さいレンズピース２０３内の光進入用開口のことを指す。
【００１０】
レンズピース２０３の外ネジ山２０６は、ベゼル２０１の内ネジ山２０２と係合する。カメラ２０４の受光面からレンズピース２０３までの間隔は、カメラ上に光が集光するように、レンズピース２０３を、協同するネジ山を利用して回転させることによって調整することができる。レンズピース２０３の集光調整は、手動で行われることも可能であり、または、レンズピースに連動するツール（不図示）を用いて行うこともできる。強力な接着力の接着リング２０７が、ドアＤ内の貫通孔Ｄtの開口部付近へのベゼル２０１の貼り付けのために設けられる。接着リング２０７は、ベゼル２０１およびカメラ用ハウジング２０全体をドアＤの外側Ｄeに貼り付けるために、ベゼル２０１の内側表面２１１に付けられることができる。保護用リリース層（不図示）が、パッケージの際の保護および設置前の取り扱いの際の保護のために、接着リング２０７のベゼル２０１から遠い側に付けられることができる。
【００１１】
導線２１２が、カメラ２０４から、特に回路板２０４１および／または構成部品２０４２から出て、貫通孔Ｄtを通って、表示装置用ハウジング１０へと伸びている。あるいは、ビデオドアビューア１は、デジタルカメラ／画像生成装置と表示装置とを無線接続の構成とすることもできる。さらに図２および図３に示すように、表示装置用ハウジング１０は、全体として参照符号１０１で示されるシャーシを有する。シャーシ１０１は、取り付け用フレーム１０２および取り付け用フレーム１０２から突出した壁構造１０３を有する。壁構造１０３は、カメラおよび表示用回路に電力を供給するための電気的接続においてバッテリーＢを保持するために、１つまたは複数のバッテリーコンパートメント１０４を規定する。中央空洞１０５は、液晶表示装置（ＬＣＤ）などの表示装置１０６を、ＬＣＤ装置の表示側とは反対側に取り付けられた関連する回路と共に収容できる寸法とされており、したがって、シャーシ１０１の中央空洞１０５内に収納される。Ｌｉｎｋ−Ｓｕｎ  Ｅｌｅｃｔｒｏｎｉｃｓ  Ｌｔｄ．およびＶｉｄｅｏｌｏｇｙ  Ｉｍａｇｉｎｇ  Ｓｏｌｕｔｉｏｎｓ  Ｌｔｄ．から入手可能なＬＣＤに限らず、あらゆる適切な画像表示装置を用いることができる。取り付け用フレーム１０２の平らな外部表面はドアＤの内側Ｄｉに当接して配置され、留め具または接着片１０２１によってその位置に貼り付けられる。
【００１２】
表示装置１０６は、１つまたは複数のフレーム固定具１０７によってシャーシ１０１に嵌め込まれて固定される。図２にさらに示すように、他の表示用構成部品には、表示装置の表示画面をさらに規定し、シャーシ１０１内の構成部品を隠すように不透明でない材料であり得るマット部１０８と、表示装置１０６１の表面を保護する機能も有するフィルタまたは反射よけシールドなどの光学的層１０９と、が含まれる。カバー１１０はシャーシ１０１の周囲から伸びており、上術の構成部品を収納し枠組みを構成する。カバー１１０は、好ましくはカバー１１０の側壁１１０１の内側にあるツメ１１０２にスナップ式に嵌め込まれるタブ１０１１によって、シャーシ１０１と係合する。
【００１３】
電源ボタン１１２は好ましくはカバー１１０内に取り付けられ、シャーシ１０１内の電力回路に接続されるスイッチに一時的に接触するようにバネによって付勢されている。電源ボタン１１２の操作によって電源が入れられると、回路は、レンズピース内のレンズの前に現れている画像を生成し表示する。遠隔操作、無線コントロール、またはネットワークを用いたコントロールなどによって、撮像回路への他の操作および電力制御も可能である。
【００１４】
図５および図６は、他の構成のベゼル２２０を有するカメラ用ハウジング２０の他の実施例を示す。ベゼル２２０は、ドアＤの貫通孔Ｄt内に実質的に嵌め込まれ、ドアＤの外側表面Ｄeとほぼ同一平面となるように設計されている。ベゼル２２０は、図６に示すように、ドアＤの貫通孔Ｄtの円筒状孔内に嵌め込まれる略円筒状本体２２１と、ドアＤの外側表面Ｄeに対して同一平面になるように、あるいは貫通孔Ｄt周辺に位置する装着リング２０７に対して随意に同一平面になるよう嵌め込まれる鍔部２２２と、を有する。円筒状本体２２１は、ドアＤ内に配置されるカメラ用ハウジング２０の第１部分であり、鍔部２２２は、ドアの外側に配置されるカメラ用ハウジングの第２部分である。本実施例においては、貫通孔Ｄtは図示されるようにドアＤの断面全体を貫通するように図示される直径で伸びる必要はなく、貫通孔Ｄtの残りの部分がカメラ用ハウジング２０と表示装置用ハウジング１０との間の有線接続を収納できるだけの大きさを有していれば、ドアＤ内の円筒状本体２２１の深さだけ伸びていればよい。内ネジ山２２３が、レンズピース２２４を収容するために、鍔部２２および本体２２１内に形成される。レンズピース２２４は、ドアＤの貫通孔Ｄtの実質的内部に配置されていてもよい。レンズピース２２４の前部表面は、カメラ用ハウジング２２０の実質的に平坦で同一平面の構成を維持するために、図示されるように平坦であることが好ましい。焦点合わせのためのベゼル２２０内でのレンズピース２２４の回転調整は、レンズピース２２４の前部表面に嵌められたツール（不図示）を用いることによって行われ得る。レンズピースおよびベゼルの協同するネジ山は、デジタルカメラの受光面上への光の最適な焦点合わせのために、ベゼル２２０内のレンズピース２２４の焦点微調整に適したゲージとされている。焦点合わせ用基準マーク２２２１は、レンズピース２２４の相対位置を測るために鍔部２２２上に形成されることができる。レンズピース２２４の他の構成も可能である。ベゼル２２０の内部空洞は、ベゼル２２０内にカメラ２０４を収容して取り付けるために、前述したように、ベゼル２０１と同様の構成とされ、好ましくは、デジタルカメラまたは他の撮像装置に関連する矩形（四角形）の回路基板を収容して取り付けるために、ほぼ矩形の形状を有する。
【００１５】
請求の範囲に記載される本発明の範囲およびその同等物に限定されることなく、上述したビデオドアビューアの他の実施例および同等な実施例は、オンデマンドパーソナルセキュリティのために見ること、一体型コンポーネントモジュール、見ることの秘密保持、外部データ／電力ケーブル不要、外部信号送信不要、容易な取り付けおよび操作を提供する。他の実施例の付加的な特徴は、対角線寸法が約５．０インチ以上または以下の範囲のサイズを含む、あらゆるサイズのカラーＬＣＤビデオパネルを有する一体型ビデオ表示コンポーネントモジュールと、１２ＶＤＣ直流バッテリー電源と、通常開瞬時閉（ＮＯＭＣ）型の電源スイッチ、５００ビューイングサイクルまたはそれ以上のバッテリー寿命（個々のビューサイクル時間を平均２秒とする）と、モールド型低プロファイルの一体型表示装置用ハウジング、バッテリーハウジングおよび取り付け用フレームならびに取り付け用ブラケット（シャーシ）と、隠れているが容易にアクセス可能なバッテリーコンパートメントと、モジュールフレームおよび取り付け用ブラケットに組み込まれており、他の付加的な固定手段を必要とせずにモジュール全体が、ドア内の孔を通してカメラ用ハウジングと連結してモジュールを動作位置に固定することを可能とするように設計されたクイック接続固定具と、を含む。
【００１６】
付加的な特徴には、クイック接続連結用ビデオ入力信号ケーブルと、クイック接続連結用電力出力ケーブルと、ドアの外側表面上に装着されるよう設計されたカメラ用ハウジングと、モールド一体型カメラ用ハウジングと、モジュールフレームおよび取り付け用ブラケットに組み込まれており、他の付加的な固定手段を必要とせずにモジュール全体が、ドア内の孔を通してカメラ用ハウジングと連結してモジュールを動作位置に固定することを可能とするように設計されたクイック接続固定具と、がある。
【００１７】
好ましいデジタルカメラ撮像装置は、視野をできるだけ拡大し画質をできるだけ向上させるように設計された、インターライン転送ＣＣＤセンサおよび、例えばｆ３．７ｍｍ／Ｆ２．０の一体型ピンホールレンズである。
【００１８】
センサ管理回路基板設計は、集積回路装置の量をできるだけ少なくするために用いられる。クイック接続連結用電力入力ケーブルおよび映像出力ケーブルは、ホームセキュリティシステムまたはコンピュータなどの他の装置へビデオドアビューアを接続するために用いられ得る。
【００１９】
ビデオドアビューアのさらに他の付加的な特徴には、カラーＬＣＤパネルサブアッセンブリと、；約５インチ以上または以下の対角線寸法を有するＬＣＤ表示パネルと、；カメラサブアセンブリを有する一体型ドアビューアシステムと、；カメラ用ハウジングがドアの外側にある状態、ドアの内側にある状態、あるいは一部がドアの内側にあり一部がドアの外側にある状態で、カメラ用ハウジング内に全体が装着されるチップ型カメラを含む一体型ドアビューアシステムと、；カメラ用ハウジング内のピンホールレンズ、広角ピンホールレンズ、または単純なピンホールと、；ドアの外側の景色のカラー画像生成と、；標準的な住居用ドアの内側垂直表面にＬＣＤサブアセンブリを固定するための装着用冶具を有するＬＣＤサブアセンブリと、がある。
【００２０】
上述したように、バッテリー電力供給バージョンの一体型内臓ビデオドアビューアは、外部データ／電力ケーブルを必要とせず；通常開瞬時閉のマクロスイッチをユーザが押すことによって作動し；ＬＣＤパネルフレーム／取り付けユニット内に取り付けられ、一体化されたマイクロスイッチを有し；ドア内の標準的な直径の孔においてドアを貫通して取り付けられるカメラサブシステムを有し；全ての機能的サブアセンブリ構成部品を隠して収納し、表示装置（ＬＣＤパネルなど）およびＣＣＤまたはＣＭＯＳ型デジタルカメラなどの撮像装置の両方に対する１２ボルトの直流電力のためのアクセス可能なバッテリーコンパートメントを組み込んでいる表示装置用ハウジングのフレームを備えている。
【００２１】
一体型ビデオドアビューアは、標準的なツール（ネジ用ドライバ、ドリルなど）を用いて約２０分で、標準的な住居用または商業用ドアに設置することが可能である。特定の構成に応じて、表示装置用ハウジングは内側ドア表面から約１インチ伸び、カメラ用ハウジングは外側ドア表面から約１／４インチ以下だけ伸びる。
【図面の簡単な説明】
【００２２】
【図１】本発明の代表的な実施例によるビデオドアビューアの断面図である。
【図２】本発明によるビデオドアビューアの画像表示装置および実装用構成部品の分解斜視図である。
【図３】本発明によるビデオドアビューアの画像表示装置および実装用構成部品の分解斜視図である。
【図４】本発明の一実施例によるビデオドアビューアのカメラ、レンズ、およびハウジング構成部品を示す斜視組み立て図である。
【図５】本発明の他の実施例によるビデオドアビューアのカメラ、レンズ、およびハウジング構成部品の斜視組み立て図である。
【図６】本発明の他の実施例によるビデオドアビューアの断面図である。
【図１】
2009522940.tif 000003
【図２】
2009522940.tif 000004
【図３】
2009522940.tif 000005
【図４】
2009522940.tif 000006
【図５】
2009522940.tif 000007
【図６】
2009522940.tif 000008
【手続補正書】
【提出日】平成20年9月3日(2008.9.3)
【手続補正１】
【補正対象書類名】特許請求の範囲
【補正対象項目名】全文
【補正方法】変更
【補正の内容】
【特許請求の範囲】
【請求項１】
ドアと関連して用いられるビデオドアビューアであって、
ドアに取り付けられるように適合したカメラ用ハウジングであって、前記カメラ用ハウジング内では前記ドアの外側に向けてデジタルカメラおよびレンズピースが配向されており、前記レンズピースは前記ドアの外部から前記デジタルカメラへの光路を提供する、カメラ用ハウジングと、
前記ドアの内側に取り付けられ、前記カメラ用ハウジングとは離間されて接続されていない表示装置用ハウジングであって、前記ドアの内側付近に取り付けられて、表示装置、電源装置、および前記デジタルカメラによって撮像された画像を生成して表示するために前記デジタルカメラに動作可能なように接続された回路を保持するように構成されたシャーシを有する、表示装置用ハウジングと、
を備えた、ビデオドアビューア。
【請求項２】
前記カメラ用ハウジングが、前記ドアの開口部内に嵌め込まれる略円筒状の外形を有する、請求項１に記載のビデオドアビューア。
【請求項３】
前記レンズピースは、前記ドアの開口部の実質的に内部で前記カメラ用ハウジングによって保持されている、請求項１に記載のビデオドアビューア。
【請求項４】
前記レンズピースは、前記デジタルカメラへ光を入り込ませるためのピンホールを有する、請求項１に記載のビデオドアビューア。
【請求項５】
前記デジタルカメラは、ＣＣＤを含む、請求項１に記載のビデオドアビューア。
【請求項６】
前記デジタルカメラは、ＣＭＯＳ装置を含む、請求項１に記載のビデオドアビューア。
【請求項７】
前記カメラ用ハウジングは、前記ドアの前記開口部の内側に嵌められる部分と、前記ドアの前記開口部の外側でドアの外側表面を実質的に覆って取り付けられる取り付け用鍔部と、を有するベゼルを備えている、請求項１に記載のビデオドアビューア
【請求項８】
前記レンズピースおよび前記デジタルカメラは、前記ドアの前記開口部の実質的に内部に配置される、請求項１に記載のビデオドアビューア。
【請求項９】
前記カメラ用ハウジングの第１の部分は前記ドアの外側に接着によって取り付けられ、前記カメラ用ハウジングの第２の部分は前記ドアの開口部内に伸びている、請求項１に記載のビデオドアビューア。
【請求項１０】
前記カメラ用ハウジングは、一部分が前記ドア内に配置され、一部分が前記ドアの外部に配置される、請求項１に記載のビデオドアビューア。
【請求項１１】
前記カメラ用ハウジングが、前記ドアの断面の一部分のみを通って伸びるが前記表示装置用ハウジングには接続されていない円筒状本体と、前記カメラ用ハウジングの前記円筒状本体が嵌めこまれる前記ドアの開口部付近の前記ドアの外側表面を覆って伸びる鍔部と、を有する、請求項１に記載のビデオドアビューア。
【請求項１２】
前記カメラ用ハウジングの前記鍔部が、前記ドアの外側表面に接着によって取り付けられる、請求項１１に記載のビデオドアビューア。
【請求項１３】
ドアに設置されるビデオドアビューアであって、
カメラ用ハウジングと、
前記カメラ用ハウジング内のレンズピースおよびデジタルカメラであって、前記カメラ用ハウジングはドアの外側表面付近に取り付けられるように適合したレンズピースおよびデジタルカメラと、
前記カメラ用ハウジングとは離間されており接続されていない表示装置用ハウジングであって、
前記表示装置用ハウジング内の表示装置、電源装置および画像生成回路であって、前記画像生成回路は前記デジタルカメラとは動作可能なように接続されており、前記表示装置用ハウジングは前記ドアの内側表面付近に取り付けられるように適合した表示装置、電源装置および画像生成回路、および
前記デジタルカメラによって得られた画像を前記表示装置上に表示するために、前記画像生成回路への電力を制御する電力制御部、を備えている表示装置用ハウジングと、
を備えた、ビデオドアビューア。
【請求項１４】
ドアと組み合わされるビデオドアビューアであって、前記カメラ用ハウジングは前記ドアの実質的に内部に配置される、請求項１３に記載のビデオドアビューア。
【請求項１５】
前記デジタルカメラへ光を向かわせるために、前記カメラ用ハウジング内に配置された前記レンズピース内の光学構成部品をさらに備えた、請求項１３に記載のビデオドアビューア。
【請求項１６】
前記レンズピースは、前記デジタルカメラへ光を入り込ませるためのピンホールを有する、請求項１３に記載のビデオドアビューア。
【請求項１７】
ドアと組み合わされるビデオドアビューアであって、前記カメラ用ハウジングは、一部分が前記ドア内に配置され、一部分が前記ドアの外側に配置される、請求項１３に記載のビデオドアビューア。
【請求項１８】
ドアと組み合わされるビデオドアビューアであって、前記カメラ用ハウジングの一部が前記ドアに接着によって固定される、請求項１３に記載のビデオドアビューア。
【請求項１９】
ドアと組み合わされるビデオドアビューアであって、前記カメラ用ハウジングは、前記ドアの断面の一部分のみを通って伸びるが前記表示装置用ハウジングには接続されていない円筒状本体と、前記カメラ用ハウジングの前記円筒状本体が嵌めこまれる前記ドアの開口部付近の前記ドアの外側表面を覆って伸びる鍔部と、を有する、請求項１３に記載のビデオドアビューア。
【請求項２０】
前記カメラ用ハウジングの前記鍔部は、前記ドアの外側表面に接着によって固定される、請求項１９に記載のビデオドアビューア。
【国際調査報告】
2009522940.tif 000009